(57)【要約】【課題】  器具等の取り替え工事を必要とせず、手軽かつ安価に遠隔操作可能な調光照明を提供する。【解決手段】  電球３４と電球用ソケット３２の間に、電球用ソケット３２に取り付けるための口金部１３を備えたアダプタ本体１１と、小型の電球３６を取り付けるための受口部１４を備え、上記アダプタ本体１１に対して回動可能に設けられた可動部１２とからなる調光用アダプタ装置１を介装する。上記可動部１２には、調光用の制御情報を受信するための受信部（受光窓１５ａ）と、受信した制御情報に基づいて電灯線３５から供給される交流電力を電力制御する調光装置が内蔵される。そして、ワイヤレス操作装置から上記制御情報を送信し、電球３６の明るさを変化させて調光する。【選択図】  図３
2006185768.tif 000002
【特許請求の範囲】
【請求項１】
電球と電球用ソケットとの間に介装されるアダプタであって、
前記アダプタを前記電球用ソケットに取り付けるための第１の取付手段と、前記アダプタに電球を取り付けるための第２の取付手段と、外部から調光用の制御情報を受信するための受信手段と、前記制御情報に基づいて前記電球の調光制御を行う調光制御手段とを備えたことを特徴とする調光用アダプタ装置。
【請求項２】
前記アダプタ装置は、アダプタ本体と、このアダプタ本体に隣接して設けられた可動部とからなり、
前記アダプタ本体に前記第１の取付手段が設けられるとともに、前記可動部に少なくとも前記第２の取付手段及び前記受信手段が設けられていることを特徴とする請求項１に記載の調光用アダプタ装置。
【請求項３】
前記第２の取付手段への電球の取付方向が、前記電球用ソケットへの前記第１の取付手段の取付方向に対して斜めに設定されていることを特徴とする請求項１または２に記載の調光用アダプタ装置。
【請求項４】
前記第１の取付手段は、前記電球用ソケットと螺合可能な口金の形態とされ、
前記可動部は、前記口金を前記電球用ソケットに螺合する際における螺合回転軸と同軸回転可能に前記アダプタ本体に設けられてなり、
前記第２の取付手段は、電球が装着可能な受口の形態とされ、この受口が前記螺合回転軸に対して所定の傾きをもって前記可動部に配置されていることを特徴とする請求項２に記載の調光用アダプタ装置。
【請求項５】
前記調光制御手段は、前記第１の取付手段と前記第２の取付手段との間に介在し、前記第１の取付手段を介して供給される電力の制御を行う電力制御回路部と、前記制御情報に基づいて前記電力制御回路部の動作を制御する制御回路部とを備えてなり、
前記制御回路部にはマイクロコンピュータが備えられ、該マイクロコンピュータが前記制御情報および該マイクロコンピュータに記憶された所定の制御プログラムに基づいて前記電力制御回路部の動作を制御するように構成されていることを特徴とする請求項１から４のいずれかに記載の調光用アダプタ装置。
【請求項６】
前記第２の取付手段は、前記電球用ソケットと同等あるいはそれよりも小さい口径の受口を備えて構成されていることを特徴とする請求項１から５のいずれかに記載の調光用アダプタ装置。
【請求項７】
請求項１から６のいずれかに記載の調光用アダプタ装置と、このアダプタ装置に調光用の制御情報を送信するワイヤレス操作装置とからなることを特徴とする遠隔照明制御システム。
【請求項８】
前記ワイヤレス操作装置は、他の機器の操作部または他の機器の遠隔操作装置と一体に構成されていることを特徴とする請求項７に記載の遠隔照明制御システム。
【請求項９】
前記ワイヤレス操作装置は、前記調光用アダプタ装置に対するコマンドを入力するための調光コマンド入力手段と、前記調光コマンド入力手段により入力されたコマンドに基づいて調光用の制御情報を生成する制御手段と、前記制御情報を外部に送信するための送信手段とを有するとともに、１又は複数の発光体を備えた演出照明部と、この演出照明部を操作するための演出照明操作手段とを備えていることを特徴とする請求項７または８に記載の遠隔照明制御システム。
【請求項１０】
前記制御手段は、演出照明操作部での操作を受け付けると、その操作に対応した調光用の制御情報を生成し、前記送信手段から送信するように構成されていることを特徴とする請求項９に記載の遠隔照明制御システム。
【請求項１１】
前記ワイヤレス操作装置は防水処理が施されていることを特徴とする請求項７から１０のいずれかに記載の遠隔照明制御システム。
【請求項１２】
所定の演出モードを備えるとともに、前記ワイヤレス操作装置から送信される制御情報を受信する受信手段と、受信した制御情報を解析する信号解析手段とを備えてなり、前記信号解析手段が受信した制御情報に基づいて機器を前記演出モードに移行させる制御構成を有する機器を含んでなることを特徴とする請求項７から１１のいずれかに記載の遠隔照明制御システム。
【請求項１３】
前記調光用アダプタ装置は、前記ワイヤレス操作装置から所定の制御信号を受け付けると、前記第２の取付手段に取り付けられる電球の明るさを一定の明るさまで徐々に変更させる調光制御を行うことを特徴とする請求項７から１２のいずれかにに記載の遠隔照明制御システム。
【請求項１４】
前記調光用アダプタ装置は、前記第２の取付手段に取り付けられる電球の明るさを暗くしてから所定時間が経過すると前記電球の明るさを復帰させる調光制御を行うことを特徴とする請求項７から１２に記載の遠隔照明制御システム。
【発明の詳細な説明】
【技術分野】
【０００１】
この発明は調光用アダプタ装置および遠隔照明制御システムに関し、より詳細には、一般電球用の電球ソケットに装着することによって一般照明を調光照明に変更するアダプタ装置と、そのアダプタ装置の応用技術に関する。
【背景技術】
【０００２】
従来、浴室等においてリラックスした雰囲気を楽しむためのものとして、一般にヒーリングライトと称される照明装置が提案されている。このヒーリングライトは、１又は複数の発光体（たとえば、発光ダイオード）を備えた小型かつ可搬型の照明装置であって、上記発光体が発する光の色や明るさを変化させてリラックスした雰囲気を演出するものであるが、その雰囲気を楽しむためには、ヒーリングライトの照明が際立つように周囲の照明（白熱電球や蛍光灯による一般照明）を暗くするのが好ましい。
【０００３】
ところが、浴室の照明の操作スイッチは、通常、浴室に隣接する脱衣室に設けられているため、浴室でヒーリングライトを使用する場合にはその都度脱衣室まで操作スイッチを操作しに行かねばならず面倒であった。また、通常、浴室の照明には光量の調節が可能な調光照明は用いられていないため、上記操作スイッチをオフにすると、浴室内が暗くなり過ぎるという問題もあった。
【０００４】
そのため、浴室でヒーリングライトを十分に楽しむためには、浴室の照明にも光量の調節が可能で、しかも浴室から出ることなく（好ましくは、浴槽につかったままの状態でも）光量の調節ができる照明器具を用いるのが好ましい。下記の特許文献１は、このような要請を満たす照明器具の一例を示している。
【０００５】
【特許文献１】特開平１０−３９６２号公報
【発明の開示】
【発明が解決しようとする課題】
【０００６】
しかしながら、上記特許文献１に示す照明器具では、以下のような問題があり、その改善が望まれていた。
【０００７】
すなわち、特許文献１に示す器具は、照明を設置する天井面や壁面に据え付けられる照明器具取付用コンセントに、ワイヤレスリモコンからの信号を受信する信号受信部と、同信号を処理して照明器具を制御する制御部とを一体に設けたものであるが、このように信号受信部と制御部とをコンセントに一体に設ける構成では、これを浴室にある既設の照明器具に適用するには、既設のコンセントを上記コンセントに取り替える大がかりな工事が必要であり、不経済である。
【０００８】
本発明はこのような従来の問題点に鑑みてなされたものであって、その目的とするところは、照明器具の取り替え工事を必要とせず、手軽かつ安価に遠隔操作可能な調光照明を提供し、ヒーリングライトによる演出効果を気軽に楽しめる環境を提供することを目的とする。
【課題を解決するための手段】
【０００９】
上記目的を達成するため、本発明の請求項１に記載の調光用アダプタ装置は、電球と電球用ソケットとの間に介装されるアダプタであって、上記アダプタを上記電球用ソケットに取り付けるための第１の取付手段と、上記アダプタに電球を取り付けるための第２の取付手段と、外部から調光用の制御情報を受信するための受信手段と、上記制御情報に基づいて上記電球の調光制御を行う調光制御手段とを備えたことを特徴とする。
【００１０】
また、本発明の請求項２に記載の調光用アダプタ装置は、請求項１に記載の調光用アダプタ装置において、上記アダプタ装置が、アダプタ本体と、このアダプタ本体に隣接して設けられた可動部とからなり、上記アダプタ本体に上記第１の取付手段が設けられるとともに、上記可動部に少なくとも上記第２の取付手段及び上記受信手段が設けられていることを特徴とする。
【００１１】
また、本発明の請求項３に記載の調光用アダプタ装置は、請求項１または２に記載の調光用アダプタ装置において、上記第２の取付手段への電球の取付方向が、上記電球用ソケットへの上記第１の取付手段の取付方向に対して斜めに設定されていることを特徴とする。
【００１２】
さらに、本発明の請求項４に記載の調光用アダプタ装置は、請求項２に記載の調光用アダプタ装置において、上記第１の取付手段は、上記電球用ソケットと螺合可能な口金の形態とされ、上記可動部は、上記口金を上記電球用ソケットに螺合する際における螺合回転軸と同軸回転可能に上記アダプタ本体に設けられてなり、上記第２の取付手段は、電球が装着可能な受口の形態とされ、この受口が上記螺合回転軸に対して所定の傾きをもって上記可動部に配置されていることを特徴とする。
【００１３】
また、本発明の請求項５に記載の調光用アダプタ装置は、請求項１から４のいずれかに記載の調光用アダプタ装置において、上記調光制御手段は、上記第１の取付手段と上記第２の取付手段との間に介在し、上記第１の取付手段を介して供給される電力の制御を行う電力制御回路部と、上記制御情報に基づいて上記電力制御回路部の動作を制御する制御回路部とを備えてなり、上記制御回路部にはマイクロコンピュータが備えられ、該マイクロコンピュータが上記制御情報および該マイクロコンピュータに記憶された所定の制御プログラムに基づいて上記電力制御回路部の動作を制御するように構成されていることを特徴とする。
【００１４】
また、本発明の請求項６に記載の調光用アダプタ装置は、請求項１から５のいずれかに記載の調光用アダプタ装置において、上記第２の取付手段が、上記電球用ソケットと同等あるいはそれよりも小さい口径の受口を備えて構成されていることを特徴とする。
【００１５】
また、本発明の請求項７に記載の遠隔照明制御システムは、請求項１から６のいずれかに記載の調光用アダプタ装置と、このアダプタ装置に調光用の制御情報を送信するワイヤレス操作装置とからなることを特徴とする。
【００１６】
また、本発明の請求項８に記載の遠隔照明制御システムは、請求項７に記載の遠隔照明制御システムにおいて、上記ワイヤレス操作装置は、他の機器の操作部または他の機器の遠隔操作装置と一体に構成されていることを特徴とする。
【００１７】
また、本発明の請求項９に記載の遠隔照明制御システムは、請求項７または８に記載の遠隔照明制御システムにおいて、上記ワイヤレス操作装置は、上記調光用アダプタ装置に対するコマンドを入力するための調光コマンド入力手段と、上記調光コマンド入力手段により入力されたコマンドに基づいて調光用の制御情報を生成する制御手段と、上記制御情報を外部に送信するための送信手段とを有するとともに、１又は複数の発光体を備えた演出照明部と、この演出照明部を操作するための演出照明操作手段とを備えていることを特徴とする。なお、ここで、演出照明とは、癒し効果の発揮を目的とするヒーリングライトを含む他、癒し以外の他の演出的効果の発揮を目的とした照明（たとえば、華やかな雰囲気を生じさせる照明など）も含む意である（以下、同じ）。
【００１８】
また、本発明の請求項１０に記載の遠隔照明制御システムは、請求項９に記載の遠隔照明制御システムにおいて、上記制御手段は、演出照明操作部での操作を受け付けると、その操作に対応した調光用の制御情報を生成し、上記送信手段から送信するように構成されていることを特徴とする。
【００１９】
また、本発明の請求項１１に記載の遠隔照明制御システムは、請求項７から１０のいずれかに記載の遠隔照明制御システムにおいて、上記ワイヤレス操作装置は防水処理が施されていることを特徴とする。
【００２０】
また、本発明の請求項１２に記載の遠隔照明制御システムは、請求項７から１１のいずれかに記載の遠隔照明制御システムにおいて、所定の演出モードを備えるとともに、上記ワイヤレス操作装置から送信される制御情報を受信する受信手段と、受信した制御情報を解析する信号解析手段とを備えてなり、上記信号解析手段が受信した制御情報に基づいて機器を上記演出モードに移行させる制御構成を有する機器を含んでなることを特徴とする。
【００２１】
また、本発明の請求項１３に記載の遠隔照明制御システムは、請求項７から１２のいずれかに記載の遠隔照明制御システムにおいて、上記調光用アダプタ装置は、上記ワイヤレス操作装置から所定の制御信号を受け付けると、上記第２の取付手段に取り付けられる電球の明るさを一定の明るさまで徐々に変更させる調光制御を行うことを特徴とする。
【００２２】
また、本発明の請求項１４に記載の遠隔照明制御システムは、請求項６から１２のいずれかにに記載の遠隔照明制御システムにおいて、上記調光用アダプタ装置は、上記第２の取付手段に取り付けられる電球の明るさを暗くしてから所定時間が経過すると上記電球の明るさを復帰させる調光制御を行うことを特徴とする。
【発明の効果】
【００２３】
本発明の調光用アダプタ装置によれば、該アダプタ装置は、該アダプタ装置を電球用ソケットに取り付けるための第１の取付手段と、アダプタ装置に電球を取り付けるための第２の取付手段と、外部から調光用の制御情報を受信するための受信手段と、上記制御情報に基づいて上記電球の調光制御を行う調光制御手段とを備えていることから、既設の照明器具の電球と電球用ソケットとの間にこのアダプタ装置を介装させるだけで、特別な工事を必要とすることなく既設の照明を調光照明に変更することができる。しかも、該アダプタ装置は調光用の制御情報を受信する受信手段を備えていることから、ワイヤレスリモートコントローラによる遠隔操作が可能となる。
【００２４】
また、本発明の請求項２に記載の調光用アダプタ装置によれば、該調光用アダプタ装置が、アダプタ本体と、このアダプタ本体に隣接して設けられた可動部とからなり、上記アダプタ本体に上記第１の取付手段が設けられるとともに、上記可動部に少なくとも上記第２の取付手段及び上記受信手段が設けられていることから、アダプタ本体を電球用ソケットに装着した状態で可動部の位置を調節することができる。そのため、たとえば、アダプタ本体を電球用ソケットに装着した際に、上記受信手段が制御情報の受信に適さない位置に配置されたような場合でも、可動部を動かすことによって、受信手段を常に制御情報の受信に適した位置に再配置させることができる。
【００２５】
また、本発明の請求項３に記載の調光用アダプタ装置によれば、上記第２の取付手段への電球の取付方向が、上記電球用ソケットへの上記第１の取付手段の取付方向に対して斜めに設定されていることから、上記第２の取付手段に取り付けられる電球は、上記電球用ソケットに対して斜めに装着されることになる。そのため、たとえば、グローブ付きの照明器具のように電球を装着するためのスペース（電球用ソケットとグローブの内面との距離）が制限されている照明器具においても、電球の頭頂部がグローブ内面に接触することなく、アダプタ装置を電球と電球用ソケットの間に介装させることができる。
【００２６】
また、本発明の請求項４に記載の調光用アダプタ装置によれば、上記第１の取付手段が電球用ソケットと螺合可能な口金の形態とされ、上記可動部は上記口金を上記電球用ソケットに螺合する際における螺合回転軸と同軸回転可能に上記アダプタ本体に設けられてなり、上記第２の取付手段は、上記電球が装着可能な受口の形態とされ、この受口が上記螺合回転軸に対して所定の傾きをもって上記可動部に配置されていることから、上記受口に装着される電球は、上記電球用ソケットに対して斜めに装着されることになる。そのため、たとえば、グローブ付きの照明器具のように電球を装着するためのスペース（電球用ソケットとグローブの内面との距離）が制限されている照明器具においても、電球の頭頂部がグローブ内面に接触することなく、アダプタ装置を電球と電球用ソケットの間に介装させることができる。
【００２７】
しかも、電球用ソケットが壁面に垂直に設けられているような場合には、上記可動部を回転させて電球の頭頂部が上方に位置するようにすることで、電球点灯による熱がアダプタ装置側に伝搬するのを低減させることができ、アダプタ装置内に設けられる電装部品の損傷を防止することができる。また、電球用ソケットが天井に取り付けられているような場合でも、電球が斜めに装着されるので、垂直に装着した場合に比べると電球を伝っての熱の伝搬を低減でき、アダプタ装置内の電装部品の損傷を防止することができる。
【００２８】
また、本発明の請求項５に記載の調光用アダプタ装置によれば、該調光用アダプタ装置の調光制御手段は、上記第１の取付手段と上記第２の取付手段との間に介在し、上記第１の取付手段を介して供給される電力の制御を行う電力制御回路部と、上記制御情報に基づいて上記電力制御回路部の動作を制御する制御回路部とを備えてなり、上記制御回路部にはマイクロコンピュータが備えられ、該マイクロコンピュータが上記制御情報および該マイクロコンピュータに記憶された所定の制御プログラムに基づいて上記電力制御回路部の動作を制御するように構成されていることから、上記制御プログラムの設定によって調光の方法・態様等を任意に設定することができる。
【００２９】
また、本発明の請求項６に記載の調光用アダプタ装置によれば、上記第２の取付手段が上記電球用ソケットと同等あるいはそれよりも小さい口径の受口を備えて構成されていることから、電球用ソケットがグローブ内にある場合でも、受口の口径を小さくすることで、容易に、該グローブに電球が接触しないようにすることができる。そのため、たとえば浴室内の照明器具に使用する場合などにおいては、該グローブの防水・防滴構造を利用でき、調光用アダプタ装置の防水・防滴構造を簡略化または省略できる。
【００３０】
また、本発明の請求項７に記載の遠隔照明制御システムによれば、該遠隔照明制御システムは、上述した調光用アダプタ装置と、このアダプタ装置に調光用の制御情報を送信するワイヤレス操作装置とから構成されることから、ワイヤレス操作装置によって離れた位置から調光操作を行うことができる。
【００３１】
また、本発明の請求項８に記載の遠隔照明制御システムによれば、上記ワイヤレス操作装置は、他の機器の操作部または他の機器の遠隔操作装置と一体に構成されていることから、室内に複数の機器の操作部や遠隔操作装置がバラバラに存在することによる取り扱い上の煩雑さを解消することができる。また、たとえば、室内の照明を消灯した時には、照明用の操作と他の機器の操作とが一つの装置で行えるので、暗闇の中で各機器の操作部等を探す手間が省け便利である。
【００３２】
さらに、本発明の請求項９に記載の遠隔照明制御システムによれば、上記ワイヤレス操作装置は、上記調光用アダプタ装置に対するコマンドを入力するための調光コマンド入力手段と、上記調光コマンド入力手段により入力されたコマンドに基づいて調光用の制御情報を生成する制御手段と、上記制御情報を外部に送信するための送信手段とを有するとともに、１又は複数の発光体を備えた演出照明部と、この演出照明部を操作するための演出照明操作手段とを備えていることから、演出照明の点灯や消灯に合わせて照明の調光操作を行うことができ、演出照明による演出効果を容易に高めることができる。
【００３３】
また、本発明の請求項１０に記載の遠隔照明制御システムによれば、上記ワイヤレス操作装置の制御手段は、演出照明操作部での操作を受け付けると、その操作に対応した調光用の制御情報を生成し、上記送信手段から送信するように構成されていることから、演出照明の操作に連動させて照明の調光を変えることが可能となる。
【００３４】
また、本発明の請求項１１に記載の遠隔照明制御システムによれば、上記ワイヤレス操作装置に防水処理が施されていることから、たとえば、湿気の多い浴室等においてもワイヤレス操作装置の防水処理を行うだけで、調光用アダプタ装置には防水処理を施すことなく容易に遠隔照明制御システムを構築することができる。
【００３５】
また、本発明の請求項１２に記載の遠隔照明制御システムによれば、遠隔照明制御システムが、所定の演出モードを備えるとともに、上記送信手段から送信される制御情報を受信する受信手段と、受信した制御情報を解析する信号解析手段とを備えてなり、上記信号解析手段が受信した制御情報に基づいて機器を上記演出モードに移行させる制御構成を有する機器を含んで構成されることから、調光動作の開始に合わせて、たとえば機器の騒音が自動的に抑制される等するので、ヒーリングライト等の演出照明による演出効果をより一層高めることができる。
【００３６】
また、本発明の請求項１３に記載の遠隔照明制御システムによれば、調光用アダプタ装置は、ワイヤレス操作装置から所定の制御信号を受け付けると、第２の取付手段に取り付けられる電球の明るさを一定の明るさまで徐々に変更させる調光制御を行うので、室内が急激に暗くなったり、明るくなったりすることによる不便、不快を解消することができる。
【００３７】
さらに、本発明の請求項１４に記載の遠隔照明制御システムによれば、調光用アダプタ装置が、第２の取付手段に取り付けられる電球の明るさを暗くしてから所定時間が経過すると電球の明るさを元に復帰させる調光制御を行うことから、室内が暗くなり無意識に居眠り等をしたような場合でも、所定時間経過後に室内の明るさが自動的に復帰するので、覚醒を促すことができる。
【発明を実施するための最良の形態】
【００３８】
実施形態１
以下、本発明の実施形態を図面に基づいて詳細に説明する。
本発明に係る遠隔照明制御システムは、調光用アダプタ装置１と、このアダプタ装置１に調光用の制御情報を送信するリモコン（ワイヤレス操作装置）２とで構成される。
【００３９】
上記調光用アダプタ装置１は、浴室等の照明に用いられている一般照明をいわゆる調光照明に変更するための装置であって、電球と電球用のソケットとの間に介装されるアダプタの形態とされる。図１は、この調光用アダプタ装置１の外観構成の一例を示し、また、図２に同調光用アダプタ装置の概略構成を示している。
【００４０】
上記調光用アダプタ装置１は、図１に示すように、アダプタ本体１１と、このアダプタ本体１１に隣接して設けられる可動部１２を主要部として構成される。
【００４１】
上記アダプタ本体１１は、電球用のソケットに装着するための第１の取付手段を備えた部材であって、本実施形態では、略円筒形状のハウジング１１ａの一端面に上記第１の取付手段を構成する口金部１３を設けた構造とされている。
【００４２】
具体的には、上記ハウジング１１ａは、耐熱性樹脂による成形品で構成される。そして、その一端面の中央に白熱電球の口金と略同じ形状の口金部１３が設けられており、その他端面には該ハウジング１１ａと略同径のハウジングを有する可動部１２が取り付けられている。
【００４３】
上記口金部１３は、白熱電球を用いた一般照明用のソケットにねじ込み装着が可能な形態とされ、本実施形態では、この口金部１３として一般に広く用いられている白熱電球の口金（いわゆるＥ２６タイプ）と同様の構造を備えた口金が採用されている。
【００４４】
一方、上記可動部１２は、電球を装着するための第２の取付手段を備えた部材であって、上述したようにハウジング本体１１ａに隣接して設けられるとともに、後述する受光窓１５ａの位置調整が可能なように上記ハウジング１１ａに対して可動的に取り付けられている。なお、上記アダプタ本体１１への取付けに際して、上記ハウジング本体１１ａ内や可動部１２内に外部から水が進入するのを防止するため、その接続部には、防水・防滴処理が施されていてもよい。
【００４５】
具体的には、この可動部１２は、上記アダプタ本体１１のハウジング１１ａと同様に、耐熱性の樹脂を略円筒形状に形成してなるハウジング１２ａを有してなり、このハウジング１２ａが、上記アダプタ本体１１の口金部１３を電球用ソケットにねじ込み装着（螺合）する際の螺合回転軸（図１の符号Ａ参照）と同軸回転可能なように上記アダプタ本体１１に取り付けられている。すなわち、上述したように、上記アダプタ本体１１の口金部１３は上記ハウジング１１ａの一端面の中央に設けられているので、この可動部１２は、上記アダプタ本体１１のハウジング１１ａと同軸回転可能とされている（図１の矢符Ｂ参照）。
【００４６】
なお、この可動部１２は、上記受光窓１５ａの位置をおよそ±１８０°自在に調節できるように、上記アダプタ本体１１に対して左右双方向に回転可能に設けられるが、たとえば、左右いずれか一方向にのみ回転可能に構成することも可能である。ここで、この可動部１２とアダプタ本体１１の電気的な接続構造の一例を図７に基づいて説明する。
【００４７】
図７において、符号１２０は、上記可動部１２に装着固定される電装基板であり、後述する可動部１２の各構成品（受口部１４，受信部１５，調光制御部１６および電源部１７）はこの電装基板１２０上に実装される。そして、この電装基板１２０が上記可動部１２のハウジング１２ａ内にビス止めなどにより装着固定される。
【００４８】
そして、アダプタ本体１１（具体的には口金部１３）との電気的接続にあたっては、たとえば、図７(a)に示すように、針金のように固い材質の金属線材１２１ａ，１２１ｂを電装線として用いる方法と、図７(b)に示すように、柔軟性を有する金属線材１２２ａ，１２２ｂを電装線として用いる方法とがある。
【００４９】
図７(a)に示す場合は、電装線となる金属線材１２１ａ，１２１ｂの一端をそれぞれ電装基板１２０に固定的に接続される。そして、上記金属線材１２１ａの他端が口金部１３の一方の電極そのものを構成する（すなわち、金属線材１２１ａが、口金部１３の底面の絶縁部を貫通し、回転可能に構成される）とともに、金属線材１２１ｂの他端が弾性を利用して口金部１３の他方の電極に接触するように構成される。したがって、この場合、可動部１２を回転させることにより上記電装基板１２０とともに金属線材１２１ａ，１２１ｂが回転しても（図中の矢符参照）、金属線材１２１ａの位置はそのままで、金属線材１２１ｂが口金部１３の内周面（電極）と接触状態を維持するので、可動部１２とアダプタ本体１１の電気的接続も維持される。
【００５０】
一方、図７(b)に示す場合は、電装基板１２０の裏面にコネクタ１２３aが固定的に取り付けられる。そして、上記金属線材１２２ａ，１２２ｂの一端に上記コネクタ１２３ａと係合するコネクタ１２３ｂが接続されるとともに、その他端が口金部１３の電極にハンダ付けなどによって接続固着される。そして、アダプタ本体１１に可動部１２を取り付ける際に、上記コネクタ１２３ａ，１２３ｂが接続される。これにより、上記可動部１２を回転させても（図中の矢符参照）、アダプタ本体１１と可動部１２とは柔軟性を有する金属線材１２２ａ，１２２ｂによって接続されているので、その電気的接続も維持される。
【００５１】
そして、この可動部１２は、図２に示すように、電球を装着するための受口部（第２の取付手段）１４と、外部から調光用の制御情報を受信するための受信部（受信手段）１５と、上記制御情報に基づいて上記電球の調光制御を行う調光制御部（調光制御手段）１６と、電源部１７とを主要部として構成される。
【００５２】
上記受口部１４は、上記可動部１２のハウジング１２ａの一端面（上記アダプタ本体１１とは反対側の端面）に形成された開口部１４ａ内に納められた電球装着用のソケットであり、この受口部１４としては、ねじ込み形のソケットが好適に採用される。ここで、この受口部１４の形状は、一般の白熱電球（口金サイズがＥ２６のもの）が装着可能な形状としてもよいが、本実施形態では、一般の白熱電球より小型の電球（口金サイズがＥ１７のもの）が装着可能な形状とされている。
【００５３】
そして、本実施形態では、この受口部１４は、上記アダプタ本体１１の螺合回転軸に対して所定の傾きをもって上記ハウジング１２ａに配設されている。すなわち、本実施形態では、可動部１２への電球の装着は、図１の矢符Ｃに示すように、ハウジング１２ａの一端面に対して斜めに電球を装着するように構成されている。
【００５４】
これは、本発明の調光用アダプタ装置１を一般照明用の電球用ソケットに装着すると、電球がグローブ内に納まらなくなるおそれがあるため、電球を傾けることによって電球がグローブ内に納まるようにしたものである。なお、本実施形態では、上述したように、受口部１４のサイズを小型の電球にあわせていることから、電球用ソケットとグローブの内面の間隔が比較的狭い場合でも、電球の小型化と斜め装着の相乗効果によって、電球とグローブの接触防止が図られている。
【００５５】
また、電球を斜めに装着することは、上述したように可動部１２が上記アダプタ本体１１のハウジング１１ａと同軸回転可能とされていることと相まって、たとえば、一般照明用の電球ソケットが浴室の壁面に設けられているような場合には、斜めに装着した電球のガラス球頂上部が上方に向くように可動部１２の位置を調節することにより、電球点灯によって発生する熱が受口部１４側に伝わるのを抑制し得るといった付随的な効果を得ることにもなる。すなわち、後述するように、可動部１２のハウジング１２ａ内には受信部１５や調光制御手段１６などを構成する電装部品が配置されるが、電球を斜め上向きに装着することによって、これらの電装部品が電球点灯による熱によって損傷するのを回避しうることになる。
【００５６】
上記受信部１５は、外部から送信された調光用の制御情報を受信するための受信回路で構成される。本実施形態では、上記制御情報は、後述するリモコン２から赤外線信号として送信されるため、この受信部１５は、上記赤外線信号を受信可能な受光回路を備えて構成されている。これに伴い、上記可動部１２には、赤外線信号受光用の受光窓１５ａが設けられる。この受光窓１５ａの配設位置は、好ましくは、図１に示すように、ハウジング１２ａの外周面のうち、電球の装着方向（図１の矢符Ｃ参照）先端側、換言すれば、上記受口部１４に電球が装着された際に同電球のガラス球とは反対側に位置するように配設される。
【００５７】
なお、図示例では、この受光窓１５ａがハウジング１２ａの外周面に設けられた場合を示したが、この受光窓１５ａは、制御情報を受光可能な位置であれば、たとえば、上記開口部１４ａが形成されるハウジング１２ａの端面や、該端面と外周面の境界部分に設けることも可能である。
【００５８】
上記調光制御部１６は、上記口金部１３と受口部１４との間に介在する電力制御回路部１８と、上記受信部１５で受信した制御情報を解析して上記電力制御回路部１８を制御する制御回路部１９とを主要部として構成されている。
【００５９】
上記電力制御回路部１８は、上記口金部１３に供給される交流電力を調整して上記受口部１４に供給する電力調整装置（調光装置）であって、本実施形態では、この電力制御回路部１８として、上記制御部１９から与えられる制御信号によって制御可能に構成された位相制御回路が用いられている。なお、この電力制御回路部１８は、上記制御信号によって、交流電力の調整に加えて、受口部１４への電力供給の開始／遮断の切り替えも可能に構成されている。
【００６０】
一方、上記制御回路部１９は、マイクロコンピュータを備えて構成される。そして、このマイクロコンピュータには、上記受信部１５で受信した制御情報を解析するためのプログラムや、解析結果に基づいて上記位相制御回路に与える制御信号を生成するためのプログラムなどが格納され、これらのプログラムに基づいて制御信号を生成し、上記電力制御回路部１８に出力するように構成されている。なお、これらプログラムによる調光動作の詳細については後述するが、本実施形態では、このプログラムによって、上記電力制御回路部１８によって上記受口部１４に供給される交流電力を予め設定された複数段階（たとえば、電力供給停止を含む４段階）に切り替え可能とされている。
【００６１】
上記電源部１７は、上記口金部１３に供給される交流電力から直流電圧を生成し、上記受信部１５や調光制御部１６に供給するための電源回路で構成される。
【００６２】
次に、図３に基づいて、調光用アダプタ装置１の装着要領について説明する。図３(a)は、浴室等の一般照明として広く用いられている白熱電球を用いた照明器具の一例を示している。図示の照明器具３は浴室等の壁面Ｗに取り付けられるタイプの照明器具であって、周知のごとく、この種の照明器具３は、壁面Ｗに固定される台座３１と、この台座３１に固定された電球用ソケット３２と、上記電球用ソケット３２に装着される白熱電球３４を覆うグローブ３３とを主要部として構成され、上記電球用ソケット３２には交流電力を供給する電灯線３５が接続される。なお、上記グローブ３３としては、通常、白色又は透明（若しくは半透明）のアクリルやポリカーボネート等の樹脂製又はガラス製の成形品が用いられる。
【００６３】
このような照明器具３に対して、調光用アダプタ装置１を装着するにあたっては、上記グローブ３３および白熱電球３４を取外した後、図３(b)に示すように、上記電球用ソケット３２に調光用アダプタ装置１の口金部１３をねじ込み装着するとともに、上記受口部１４に小型の電球（たとえば、ミニクリプトン電球）３６をねじ込み装着する（図中の矢符参照）。そして、これらの装着が完了すると、上記可動部１２を動かして電球３６のガラス球頂上部３６ａが斜め上向きとなるように可動部１２の位置を調節する（図３(c)参照）。なお、本実施形態では、上述したように、上記受光窓１５ａは電球３６のガラス球とは反対側に位置するように上記ハウジング１２ａの外周面に設けられていることから、電球３６の位置を調節することによって必然的に受光窓１５ａは図示のように下向きに配置される。
【００６４】
このようにして、調光用アダプタ装置１および電球３６の装着が完了すると、最後にグローブ３３を台座３１に装着することで、調光用アダプタ装置１の照明器具３への装着が完了し、これにより、上記受光窓１５ａに向けて制御情報を送信することにより、照明器具３を調光照明として使用することが可能となる。
【００６５】
次に、上記調光用アダプタ装置１のリモコン２について、図４および図５に基づいて説明する。図４は上記リモコン２の外観構成の一例を示す外観図であり、図５は上記リモコン２の概略構成を示すブロック図である。
【００６６】
本実施形態に示すリモコン２は、防水処理が施された小型かつ可搬型の装置であって、図４に示すように、上記調光用アダプタ装置１を遠隔操作するためのワイヤレス操作装置と演出照明用の照明器具とを一体に形成することにより構成されている。
【００６７】
そして、このリモコン２は、図５に示すように、上記ワイヤレス操作装置として、上記調光用アダプタ装置１に対する調光コマンドを入力するための調光操作部（調光コマンド入力手段）２１と、上記調光操作部２１により入力されたコマンドに基づいて調光用の制御情報を生成する制御部（制御手段）２２と、上記制御情報を外部に送信するための送信部（送信手段）２３とを備えるとともに、演出照明用の照明器具として、演出照明部２４および該演出照明部２４の操作コマンドを入力する演出照明操作部（演出照明操作手段）２５とを備えている。なお、上記制御部２２は、ワイヤレス操作装置の制御部として機能するとともに、演出照明部２４の制御部としても用いられている。また、電源部２６は、ワイヤレス操作装置と演出照明用の照明器具に共通の電源部を構成している。
【００６８】
上記調光操作部２１は、本実施形態では、図４に示すように、光量増加を指示するためのアップスイッチ２１ａと光量低下を指示するためのダウンスイッチ２１ｂとで構成される。そして、これらアップスイッチ２１ａ及びダウンスイッチ２１ｂが操作されると、その操作信号が上記制御部２２に入力される。また、上記演出照明操作部２５は、本実施形態では三つの操作スイッチ２５ａ〜２５ｃで構成され、これら各操作スイッチ２５ａ〜２５ｃの操作信号も上記制御部２２に入力される。
【００６９】
上記制御部２２は、マイクロコンピュータを備えて構成され、このマイクロコンピュータには、上記調光操作部２１の操作信号や演出照明操作部２５の操作信号に基づいて上記調光用アダプタ装置１に対する制御情報を生成するためのプログラムや、上記演出照明部２４の照明を制御する制御信号を生成するためのプログラム等が格納されている。なお、これらのプログラムによる制御部２２の制御動作の詳細については後述する。
【００７０】
上記送信部２３は、上記制御部２２で生成された制御情報を調光用アダプタ装置１に送信するための送信回路で構成される。本実施形態では、上記制御情報は、赤外線信号として送信されるため、この送信部２３は、上記赤外線信号を送信可能な発光回路を備えて構成されている。なお、これに伴い、上記リモコン２の表面には、図４に示すように、赤外線信号送信用の信号出力窓２３ａが設けられている。
【００７１】
上記演出照明部２４は、白色又は透明（若しくは半透明）のケーシング２４ａ内に１又は複数の発光体（図示しないが、たとえば発光ダイオード）を備えた照明装置であって、上記操作スイッチ２５ａ〜２５ｃの操作に基づいて上記制御部２２で生成される制御信号に基づいてこれら発光体が発する光の色や明るさ（光量）を変化させてリラックスした雰囲気や華やかな雰囲気などを演出するものである。
【００７２】
ここで、この演出照明部２４の構造自体は既に公知であり、また、本発明とは直接関係しないので詳細な説明は省略するが、その一例を例示すると、たとえば、上記発光体として、赤、緑、青の三色の発光ダイオードが用いられ、上記制御部２２から与えられる制御信号に基づいて、これら三色の発光ダイオードの全て又は一部を明るさに強弱をつけて点灯させることにより任意の発色が可能と構成される。そして、上記制御部２２には、これら発光ダイオードの点灯パターン（たとえば、数色の色を順次点灯しこれを繰り返すパターンや、一つの色を明暗つけて点灯しこれを繰り返すパターン、さらには、点滅は行わずに常時点灯するパターンなどの種々の照明パターン）を実行するプログラムが数種類記憶され、上記操作スイッチ２５ａ〜２５ｃの操作によって上記プログラム（点灯パターン）が選択され、実行されるように構成されている。なお、この点灯パターンは、例示したパターンに限られるものではなく適宜設定可能である。また、上記操作スイッチ２５ａ〜２５ｃの数や点灯パターンの選択方法も適宜設計変更可能である。
【００７３】
上記電源部２６は、乾電池等の蓄電池を電源とする電源装置であって、上述したように、本実施形態ではワイヤレス操作装置と演出照明用の照明器具に共通の電源部として構成されているが、個別に電源部を設けるように構成してもよい。なお、図において符号２６ａは電池交換時に開閉する蓋部材を示している。
【００７４】
しかして、以上のように構成されてなる遠隔照明制御システムの動作について、以下に説明する。
【００７５】
Ａ：電球３６の調光制御（調光単独制御）
本発明の遠隔照明制御システムでは、リモコン２の調光操作部２１の操作によって、調光用アダプタ装置１が装着された一般照明（上記電球３６）の調光動作を遠隔操作可能とされている。
【００７６】
すなわち、本実施形態では、上述したように、上記調光用アダプタ装置１の制御回路部１９は、リモコン２から送信される制御情報に基づいて上記電力制御回路部１８の動作を制御することにより、上記受口部１４に供給される交流電力を予め設定された複数段階（たとえば、電力供給停止を含む４段階）に切り替え可能とされていることから、上記アップスイッチ２１ａの一回の操作により、上記制御部２２が上記受口部１４への電力供給量の段階を一段階上げる旨を指示する制御情報を生成する。そして、この生成された制御情報が上記送信部２３を介してこの制御情報が上記調光用アダプタ装置１に送信される。したがって、上記電球３６による照明を明るくしたい場合には、上記アップスイッチ２１ａを繰り返し操作することで、設定されている最上段階まで電球３６の光量を順次増加させることができるようにされている。
【００７７】
反対に電球３６による照明を暗くしたい場合には、上記ダウンスイッチ２１ｂを繰り返し操作することで、操作の度に上記制御部２２が受口部１４への電力供給量の段階を一段階下げる旨を指示する制御情報を生成し、上記送信部２３を介して調光用アダプタ装置１に送信される。これにより、設定されている最下段階まで電球３６の光量が順次低減される。なお、その際、たとえば上記制御回路部１９における上記最下段階の設定が受口部１４への電力供給停止に設定されている場合には、上記ダウンスイッチ２１ｂを繰り返し操作すると、最終的には上記受口部１４への電力供給が停止され、電球３６は消灯する。
【００７８】
このように、本発明の遠隔照明制御システムでは、リモコン２で演出照明を楽しむ場合などに、上記リモコン２のダウンスイッチ２１ｂの操作によって、一般照明（上記電球３６）をその場で暗くすることができる。また、上記ダウンスイッチ２１ｂの操作により電球３６は段階的に暗くなるので、浴室内が突然暗闇になることが防止され、しかもユーザの好みに合った（演出照明を楽しむに適した）明るさにすることができる。
【００７９】
なお、上述した実施形態では、上記調光操作部２１として、アップスイッチ２１ａとダウンスイッチ２１ｂの二つの操作スイッチを設け、これらの操作により電球３６の明るさを調整する場合を示したが、たとえば、調光操作部２１として一つの操作スイッチのみを設け、この操作スイッチの操作により、電球３６の明るさを「明るい」，「標準」，「暗い」，「消灯」，「明るい」，「標準」，「暗い」，「消灯」…の順で切り替え可能に構成しておくことも可能である。
【００８０】
Ｂ：電球３６の調光制御（演出照明との調光連動制御）
また、本実施形態に示す遠隔照明制御システムでは、上述したように、リモコン２が調光用アダプタ装置のワイヤレス操作装置と演出照明用の照明器具とを一体に構成したものであるため、本システムでは、上記演出照明操作部２５の操作に連動して電球３６の調光制御が自動的に行われるように構成される。
【００８１】
すなわち、上記制御部２２は、上記操作スイッチ２５ａ〜２５ｃの操作によって演出照明部２４の点灯パターンが選択されると、選択された点灯パターンに応じて上記演出照明部２４を動作させる処理を開始するが、この処理と並行して、後述する調光連動制御の処理を開始する。
【００８２】
この調光連動制御は、上記操作スイッチ２５ａ〜２５ｃの操作を受け付けた上記制御部２２側において上記調光用アダプタ装置１に行わせる調光動作（電力制御）の内容を具体的に特定した制御情報を生成して送信するように構成することも可能であるが、本実施形態では、上記制御部２２側は、制御情報として調光連動制御の開始指令のみを送信するように設定され、具体的な調光動作（電力制御）の内容は、調光用アダプタ装置１側の制御回路部１９側のプログラムの設定に基づいて行われる。
【００８３】
すなわち、調光用アダプタ装置１の制御回路部１９には、予め演出照明部２４が動作した場合に行う所定の調光動作（たとえば、電球３６の明るさを暗くするように、上記受口部１４に供給する電力を予め定められた一定値にする制御信号を電力制御回路部１８に与える等の動作）を記憶させておき、リモコン２から調光連動制御の開始指令を受信すると、制御回路部１９が自動的にこの記憶された調光動作を実行するように構成される。
【００８４】
したがって、本実施形態に示す遠隔照明制御システムでは、リモコン２において上記操作スイッチ２５ａ〜２５ｃのいずれかが操作されると、この操作に応じて演出照明部２４が演出照明を開始するのと同時に調光用アダプタ装置１が自動的に上記所定の調光動作を開始して電球３６を一定の明るさまで暗くする。そのため、本実施形態では、別途調光操作部２１の操作をすることなく演出照明を楽しむことができる。
【００８５】
なお、上述した実施形態では、リモコン２から調光連動制御の開始指令を受信した調光用アダプタ装置１が電球３６の明るさを直ちに暗くするように構成した場合を説明したが、上記制御回路部１９に記憶させる所定の調光動作として、たとえば、リモコン２からの調光連動制御の開始指令を受信すると、上記制御回路部１９は電球３６の明るさを一定時間（たとえば、２秒から１８０秒程度の間）に無段階または段階的に徐々に暗くするように電力制御回路部１８を制御するように設定したり、調光連動制御の開始指令を受信すると所定の明るさまで直ちに暗くしその後徐々に暗くするように設定したりすることも可能である。さらには、上記制御回路部１９に図示しないタイマ回路を内蔵させ、調光連動制御の開始指令を受信すると上記タイマ回路を起動し、調光連動制御の開始指令を受信してから一定時間経過後に電球３６の上記電力制御回路部１８に制御信号を与える（明るさを暗くする）ように設定することも可能である。
【００８６】
なお、この調光連動制御は、上記演出照明操作部２５において演出照明の停止操作が行われると、その操作に連動して解除される。つまり、演出照明の終了操作がなされるとその操作を受け付けた制御部２２が調光動作の停止を指示する制御信号を生成し、この制御信号が調光用アダプタ装置１に送信される。これにより、調光用アダプタ装置１は、調光制御を停止し、電球３６が調光前の状態に復帰する。なお、この照明の復帰に関しても、上述した調光開始の際と同様に、調光動作の停止の指示を受け付けたアダプタ装置１が直ちに元の状態に復帰するように構成することが可能である他、徐々に照明を明るくして元の状態に復帰するように構成することも可能である。また、調光動作の停止の指示を受け付けてから一定時間経過後に復帰するように構成することも可能である。
【００８７】
実施形態２
次に、本発明の第２の実施形態について説明する。この第２の実施形態は、上記実施形態１における調光連動制御の改変例であって、その他の構成は上記実施形態１と同様であるので、同一の構成については同一の符号を付して説明を省略する。
【００８８】
上述した実施形態１では、上記操作スイッチ２５ａ〜２５ｃの操作を受け付けた制御部２２は、調光用アダプタ装置１に対して調光連動制御の開始指令のみを送信するように構成したが、本実施形態では、上記操作スイッチ２５ａ〜２５ｃの操作を受け付けた制御部２２は、制御情報として調光連動制御の開始指令および上記操作スイッチ２５ａ〜２５ｃによって選択された点灯パターンの情報を送信するように構成される。そして、具体的な調光動作（電力制御）の内容は、これらの制御情報に基づいて、上記制御回路部１９側で決定するように構成されている。
【００８９】
すなわち、本実施形態では、調光用アダプタ装置１の制御回路部１９に予め記憶される所定の調光動作として、演出照明部２４の点灯パターンに対応して複数の調光動作（以下、調光パターン）を記憶させておき、リモコン２から調光連動制御の開始指令および選択された点灯パターンの情報を受信すると、上記制御回路部１９は受信した情報に対応する調光パターンを選択し、上記電力制御回路部１８に対してこの選択された調光パターンに応じた制御信号を与えるものとされる。
【００９０】
したがって、本実施形態に示す遠隔照明制御システムでは、上記調光パターンとして、演出照明部２４の点灯パターン（点滅や色の変化等のタイミング）に合わせた調光動作を設定しておくことにより、電球３６の明るさを上記演出照明部２４の点滅に合わせて変化させることができ、演出照明をより一層楽しむことができる。
【００９１】
なお、本実施形態においても、調光動作（調光パターン）の内容をリモコン２の制御部２２に記憶させておき、リモコン２側で調光動作（電力制御）の内容を具体的に特定した制御情報を生成して送信するように構成することも可能な点は上記実施形態１の場合と同様である。
【００９２】
実施形態３
次に、本発明の第３の実施形態について説明する。この第３の実施形態は、上述した実施形態１または２における調光制御の改変例であって、その他の構成は上述した実施形態と同様であるので、同一の構成については同一の符号を付して説明を省略する。
【００９３】
本実施形態では、上記制御回路部１９には図示しないタイマ回路が設けられる。そして、上記制御回路部１９による調光制御が開始されると（換言すれば、電球３６の明るさが暗くなると）、上記タイマ回路がカウントを開始し、カウント開始から所定時間経過により上記タイマ回路がカウントアップすると、調光動作を停止して通常の照明動作に復帰するように構成される。つまり、調光動作が開始され、照明が暗くなり始めてから所定時間が経過すると電球３６が調光動作開始前の元の明るさに自動的に復帰するように構成される。
【００９４】
これにより、たとえば演出照明の使用によってリラックスした状態になり居眠りをしてしまったような場合でも、所定時間経過によって周囲が明るくなるので、眠りからの覚醒を促すことができる。
【００９５】
なお、このタイマ回路は、上述した調光単独制御、調光連動制御のいずれの場合にも作動するように構成することが好ましいが、いずれか一方の場合にのみ作動するように設定しておくことも可能である。また、上記リモコン２の操作によって上記タイマ回路の使用の有無や上記所定時間の設定を選択可能に構成しておくことも可能である。
【００９６】
実施形態４
次に、本発明の第４の実施形態について図６に基づいて説明する。この第４の実施形態は、本発明の遠隔照明制御システムが好適に使用される浴室には様々な機器が設置されるが、これらのうち、換気扇、浴室暖房乾燥機、ジェットバスなどは騒音を発生し、テレビ受像機、ラジオ受信機、インターホン、給湯器の浴室リモコンなどは大きな音（音声や呼出音、操作音等）を発生させるために、これらの音によって演出照明使用による演出効果を妨げるおそれがある。また、その一方で、テレビ受像機や給湯器の浴室リモコン等は、表示画面の明かりによって調光照明の効果を減殺するおそれがある。
【００９７】
そのため、この第４の実施形態では、このような演出照明による演出効果を妨げるおそれのある機器を上記遠隔照明制御システムと連動させ、演出照明による演出効果が損なわれないようにしたシステムを提供する。
【００９８】
なお、説明にあたり、上述した遠隔照明制御システムと構成が共通する部分については同一の符号を付して説明を省略する。
【００９９】
図示のように、このシステムは、調光用アダプタ装置１が装着された照明器具３と、リモコン２と、所定の演出モードを備えた機器４とから構成される。
【０１００】
具体的には、上記機器４は、通常の動作モード（通常の使用時）以外に所定の演出モードを備えた機器であって、上記リモコン２の送信部２３から送信される制御情報を受信するための受信手段４１と、該受信手段４１で受信した制御情報を解析する信号解析手段４２とを備えて構成され、上記信号解析手段４２が所定の制御情報を受信すると、機器４の動作モードを通常の動作モードから演出モードに移行させる、または演出モードから通常の動作モードに移行させる制御構成を備えて構成される。
【０１０１】
ここで、上記所定の演出モードとは、演出照明の演出効果を妨げないように又は演出効果を助長するように機器４を動作させるモードであり、その内容は、機器４の種別に応じて適宜設定される。たとえば、機器４が、上述したように音により演出効果を妨げる場合には、当該機器４が発する音が小さくなるように、換気扇、浴室暖房乾燥機、ジェットバスなどにあってはファンの出力やポンプの出力を一定レベルまで下げて運転するモードとされ、また、テレビジョン受像機、ラジオ受信機、インターホン、浴室リモコンにあっては出力音量を一定音量まで下げるモードとされる。一方、機器４が、明かりによって調光照明の効果を減殺させる場合には、画面の輝度を一定レベルまでに下げるモードとされる。さらに、演出効果を助長させるものとしては、たとえば、テレビジョン受像機の画面に演出効果を高める画面（たとえば、ロウソクの炎や風景などの静止画や動画、アニメーション等）を表示させたり、あるいはテレビジョン受像機、ラジオ受信機などから演出効果を高める音楽や効果音を出力させたりするモードがある。なお、これらのモードは、機器４の種別に応じて適宜、単独でまたは複数を組合せて一つの演出モードとすることができる。
【０１０２】
上記受信手段４１は、上記リモコン２から送信される制御情報を受信するための受信回路で構成される。本実施形態では、上述したように制御情報は上記リモコン２から赤外線信号として送信されるので、この受信手段４１は上記赤外線信号を受信可能な受光回路を備えて構成される。
【０１０３】
上記信号解析手段４２は、マイクロコンピュータを備えて構成され、上記受信手段４１で受信した制御情報を解析するためのプログラムおよび解析結果に基づいて機器４を上記演出モードに切り替える機器制御プログラムなどが格納されている。そして、受信した制御情報を解析した結果が上記調光用アダプタ装置１に対して調光動作（具体的には電球３６を暗くする動作）を指示する制御情報であり、かつ、機器４が動作状態（通常の動作モード）にある場合には、当該機器４を通常の動作モードから演出モードに移行させる。また、受信した制御情報を解析した結果が上記調光アダプタ装置１に対して調光動作を解除する制御信号であり、かつ、機器４が演出モードにある場合には、当該機器４の演出モードから通常の動作モードに復帰させる。
【０１０４】
このように、本実施形態の遠隔照明制御システムによれば、リモコン２で調光用アダプタ装置１に対する調光動作を指示する操作がなされると、機器４が自動的に演出モードに移行するので、リモコン２から制御情報が届く範囲にある機器４に対しては、個別に機器４の操作をしなくても静かな環境で演出照明を楽しむことができる。
【０１０５】
なお、上述した実施形態は本発明の好適な実施態様を示すものであって、本発明はこれらに限定されることなくその範囲内で種々の設計変更が可能である。
【０１０６】
たとえば、上述した実施形態では、上記調光用アダプタ装置１の受口部１４にねじ込み型のソケットが用いられた場合を示したが、このソケットとしては差込み型など他の形態のソケットを採用することも可能である。また、上述した実施形態では、本発明の調光用アダプタ装置１は、アダプタ本体１１に対して可動部１２が可動的に設けられた場合を示したが、これらを一体的（換言すれば、可動部が可動しないように固定的）に設けてもよい。なお、その場合でも、上記受口部（第２の取付手段）１４への電球３６の取付方向は、上記電球用ソケット３２への上記口金部（第１の取付手段）１３の取付方向（上記螺合回転軸方向）に対して斜めになるように設定されるのが好ましい。
【０１０７】
また、上述した実施形態では、上記調光用アダプタ装置１に装着される電球３６としてクリプトン電球を用いた場合を示したが、電力制御による調光が可能な電球であれば、白熱電球や電球型蛍光灯のような他の電球・蛍光灯を用いることも可能である。また、上述した実施形態では、電球３６として小型の電球を用いたが、電球と電球用ソケットとの間に調光用アダプタ装置１を介装した状態でグローブ３３の装着が可能であれば、受口部１４の口金サイズを通常の電球サイズとして、通常の電球を用いることも可能である。さらには、上述した実施形態では、上記口金部１３としてＥ２６タイプと同様の構造を備えた口金を用いた場合を示したが、このサイズについてもたとえばＥ１７とするなど適宜変更可能である。また、上述した実施形態では、上記口金部１３には交流電力が供給される場合を示したが、直流電力が供給される場合にも本発明は適用可能である。すなわち、その場合、上記調光制御部１６は直流電力を元に電球３６の調光を行う調光回路で構成される。
【０１０８】
さらに、上述した実施形態では、リモコン２から調光用アダプタ装置１への制御情報の送信を赤外線信号による場合を示したが、ワイヤレスで情報伝送が可能であれば電波によって制御情報を送・受信するように、上記送信部２３および受信部１５を構成することも可能である。また、上述した実施形態では、調光用アダプタ装置１のワイヤレス操作装置と演出照明用の照明器具（演出照明部２４）とを一体に構成したリモコン２を示したが、調光用アダプタ装置１のワイヤレス操作装置は、他の機器（たとえば、換気扇、浴室暖房乾燥機、ジェットバス、テレビ受像機など）の操作部またはこれらの遠隔操作装置と一体に構成することも可能である。
【０１０９】
また、上述した実施形態では、上記調光用アダプタ装置１を浴室の壁面Ｗに取り付けられた照明器具に装着した場合を示したが、浴室以外の居室の照明器具や天井に取り付けられた照明器具に適用することも可能である。
【０１１０】
また、上述した実施形態では、上記調光用アダプタ装置１の制御回路部１９は、上記受口部１４に供給する交流電力を予め設定された複数段階に切り替え可能に構成した場合を示したが、このような段階的な電力設定とはせずに無段階に電力調節ができるようにすることも可能である。この場合、上記アップスイッチ２１ａまたはダウンスイッチ２１ｂの押圧操作時間に比例して受口部１４に供給される電力が設定される。
【０１１１】
また、上述した実施形態４では、機器４が１台の場合を示したが、機器４の台数には制限はなく複数台設けられていてもよい。また、上述した例では、機器４は調光用の制御情報を受信・解析して演出モードに移行する場合を示したが、たとえば、調光用の制御情報とは別に演出モードへの切り替えを指示する個別の信号を設定し、当該信号の送信をリモコン２に行わせるように構成することも可能である。
【図面の簡単な説明】
【０１１２】
【図１】本発明に係る調光用アダプタ装置の外観構成の一例を示す外観図である。
【図２】同調光用アダプタ装置の概略構成を示すブロック図である。
【図３】同調光用アダプタ装置の装着要領を示す説明図であり、図３(a)は、従来の照明器具の取付構造の一例を示し、図３(b)は、同照明器具への調光用アダプタ装置の装着手順を分解して示し、図３(c)は、調光用アダプタ装置を装着した照明器具の状態を示している。
【図４】本発明に係る遠隔照明制御システムにおけるリモコンの外観構成の一例を示す外観図である。
【図５】同リモコンの概略構成を示すブロック図である。
【図６】本発明に係る遠隔照明制御システムの他の実施形態の構成概要を示す説明図である。
【図７】本発明に係る調光用アダプタ装置におけるアダプタ本体と可動部との電気的な接続構造を説明する説明図である。
【符号の説明】
【０１１３】
１          調光用アダプタ装置
１１        アダプタ本体
１２        可動部
１３        口金部（第１の取付手段）
１４        受口部（第２の取付手段）
１５        受信部（受信手段）
１６        調光制御部（調光制御手段）
１７        電源部
１８        電力制御回路部
１９        制御回路部
２          リモコン（ワイヤレス操作装置）
２１        調光操作部（調光コマンド入力手段）
２２        制御部（制御手段）
２３        送信部（送信手段）
２４        演出照明部
２５        演出照明操作部（演出照明操作手段）
２６        電源部
３          照明器具
３１        台座
３２        電球用ソケット
３３        グローブ
３４，３６  電球
３５        電灯線
４          機器
４１        受信手段
４２        信号解析手段
【図１】
2006185768.tif 000003
【図２】
2006185768.tif 000004
【図３】
2006185768.tif 000005
【図４】
2006185768.tif 000006
【図５】
2006185768.tif 000007
【図６】
2006185768.tif 000008
【図７】
2006185768.tif 000009